(57)【要約】【課題】  汚染防止胴や加圧ウェイトからの付着物の滴下による混練槽や、混練槽の周辺領域の汚染を防止することを可能ならしめる加圧式ニーダを提供する。【解決手段】  傾転される混練槽６を備え、立設された支持フレーム３の上部に垂直配設されたウェイト昇降用シリンダ４の伸縮ロッド４ａの下端部に取付けられ、混練槽６の原料投入口６ａの内側に挿入されて混練槽６内の原料を加圧し、かつこの混練槽６とで混練室６ｂを構成する昇降作動自在な加圧ウェイト５を備え、混練槽６の原料投入口６ａの端面に密接して閉塞すると共に、加圧ウェイト５を収納する昇降作動自在な汚染防止胴１２を備えた加圧式ニーダにおいて、前記加圧ウェイト５と前記汚染防止胴１２とが上昇したときに、混練槽６と汚染防止胴１２の間に移動する一方、この汚染防止胴１２の昇降を妨げない位置に退避する往復移動自在な落下物受けトレイ２５を設ける。【選択図】          図  ３
2006167618.tif 000002
【特許請求の範囲】
【請求項１】
原料を混練し、混練終了後に混練物を排出するに際して傾転される混練槽を備え、立設された支持フレームの上部に垂直配設されたシリンダの伸縮ロッドの下端部に取付けられ、前記混練槽の原料投入口の内側に挿入されて混練槽内の原料を加圧し、かつこの混練槽とで混練室を構成する昇降作動自在な加圧ウェイトを備え、前記混練槽の原料投入口の端面に密接して閉塞すると共に、前記加圧ウェイトを収納する昇降作動自在な汚染防止手段を備えた加圧式ニーダにおいて、前記加圧ウェイトと前記汚染防止手段とが上昇したときに、前記混練槽の上方位置に移動して前記加圧ウェイトと前記汚染防止手段から滴下する落下物を受ける一方、前記汚染防止手段の昇降を妨げない位置に退避する、往復移動自在な落下物受けトレイを設けたことを特徴とする加圧式ニーダ。
【請求項２】
前記落下物受けトレイは、前記加圧ウェイトと前記汚染防止手段とが上昇したときに、前記混練槽の上方位置に移動して前記加圧ウェイトと前記汚染防止手段から滴下する落下物を受ける一方、前記汚染防止手段の昇降を妨げない位置に退避する、往復移動自在なトレイ受けに着脱自在に載置されるように構成されてなることを特徴とする請求項１に記載の加圧式ニーダ。
【発明の詳細な説明】
【技術分野】
【０００１】
本発明は、加圧式ニーダの改善に係り、より詳しくは、混練物を排出するために混練槽を傾転させるに際して、加圧ウェイトと汚染防止手段とを上昇させたときに、加圧ウェイトや汚染防止手段から落下する付着物による混練槽や、この混練槽の周辺領域の汚れを防止することを可能ならしめるようにした加圧式ニーダに関するものである。
【背景技術】
【０００２】
例えば、ゴム、プラスチック、セラミックス、ポリマー、新素材、医薬品、食品および顔料等（以下、原料という。）を混練するのに混練機が使用されている。混練機としては種々のものが知られているが、それらの中に加圧式ニーダがある。この加圧式ニーダの場合、混練槽の原料投入口を昇降作動自在な加圧ウェイトで閉塞し、これら混練槽内と加圧ウェイトとで混練室を形成し、この混練室内で原料を混練するが、通常、混練室内には固形物、粉体、液体等の原料が投入されている関係上、原料の混練に際して原料投入口の内壁面と加圧ウェイトの外周面との間の隙間から粉体、液体等が飛散する。そのため、加圧式ニーダの混練槽をはじめ、この混練槽の周辺領域が汚され、作業環境の悪化を招くだけでなく、スリップにより作業者等が転倒事故を起こす恐れもあった。
【０００３】
上記のような問題を解決するために、粉体、液体等の飛散による混練槽や、この混練槽の周辺領域の汚染を防止することを可能ならしめるようにした種々の加圧式ニーダが提案されている。以下、添付図面を参照しながら、従来例に係る典型的な加圧式ニーダの幾つかの例を紹介する。
【０００４】
従来例１に係る加圧式ニーダは、正面からみた加圧式ニーダの部分断面図の図９に示すように構成されている。即ち、この従来例１に係る加圧式ニーダの混練槽５１は上面に開口面を持つ箱形容器で、水平方向の二本のロータ軸５２に混練用ブレード５３が設けられ、図示しないモータによって回転駆動されるように構成されている。そして、これら二本のロータ軸のうちの一方のロータ軸を中心として、原料収納姿勢から放出姿勢までの間を回動させる図示しないモータと、このモータの回転力を伝達する伝達機構が設けられている。混練槽５１内の原料を加圧する加圧蓋（加圧ウェイトに相当する。）５６が、その上方に設けられた空気シリンダ５８の昇降軸５７の伸縮作動により昇降駆動されるように構成されている。また、混練槽５１の上方の後部には、この混練槽５１に原料を投入する、図示しない固定シュートが設けられている。
【０００５】
加圧フレーム６０は、昇降軸５７周辺を囲み、混練槽５１の方形の開口面の上方に沿って、略四角筒形に形成された固定部材で、その上部に空気シリンダ５８が固定されており、その下端は、混練槽５１の図示しない回動軌跡と干渉しないように逃げた形状になっている。図示しない空気シリンダで昇降されるダストカバー（汚染防止手段に相当する。）６３は、加圧フレーム６０と原料収納姿勢の混練槽５１上縁との空間を外部と遮断する昇降自在な部材で、下限位置において下端が混練槽５１の上縁に当接し、上部は加圧フレーム６０の外側面を隙間（シール部材６４により塞がれている。）を隔てて囲んでいる（例えば、特許文献１参照。）。
【０００６】
従来例２に係る加圧式ニーダは、その一部断面示側面図の図１０と、図１０のＥ部拡大図の図１１とに示すように構成されている。即ち、この加圧式ニーダ７１は、原料を混練する駆動ロータ７７ａと従動ロータ７７ｂとを有する混練槽７６を備え、支持フレーム７３の上に設けたシリンダ７４の伸縮ロッド７４ａの下端部に取付けられ、下降されて混練槽７６の原料投入口７６ａの内側に挿入されることにより混練槽７６内の原料を加圧し、かつこの混練槽７６とで混練室７６ｂを構成する加圧ウェイト７５を備えている。
【０００７】
そして、前記シリンダ７４の伸縮ロッド７４ａがシール８２ｂを介して摺動自在に嵌合される嵌合孔８２ａを有する天蓋８２および混練槽７６の原料投入口７６ａの端面に密接する密接面８１ａを有し、かつ加圧ウェイト７５が内壁を摺接すると共に、開閉自在な窓閉塞蓋８６により閉塞される原料投入窓８３ａを側面に有する胴部８３からなる昇降作動自在な原料投入槽（汚染防止手段に相当する。）８１と、この原料投入槽８１を昇降可能に案内する垂直なガイド８４とが設けられてなる構成になっている（例えば、特許文献２参照。）。
【特許文献１】特開平０６−０３１１５０号公報
【特許文献２】特開平１０−１７５２０９号公報
【発明の開示】
【発明が解決しようとする課題】
【０００８】
上記従来例１に係る加圧式ニーダでは加圧フレームとダストカバーとにより、また上記従来例２に係る加圧式ニーダでは原料投入槽により、特に混練初期時において混練槽の原料投入口の内周面と加圧ウェイト（または、加圧蓋）の外周面との間の隙間から飛散する粉体、液体等を確実に捕捉して外方への飛散を防止することができる。従って、記従来例１または２に係る加圧式ニーダによれば、加圧式ニーダの混練槽や混練槽の周辺領域の汚れ防止に対して、それなりに有用であると考えられる。しかしながら、後述するような理由により、加圧式ニーダの混練槽や混練槽の周辺領域の汚れを完全に防止することが困難であった。
【０００９】
即ち、加圧式ニーダの混練槽は、混練物を排出するために原料の混練終了後に傾転されるが、混練槽の傾転前にダストカバー、原料投入槽、加圧ウェイト（または、加圧蓋）が上昇作動され、混練槽との間に混練槽の傾転に必要な隙間が開けられる。その際に、ダストカバー、原料投入槽、加圧ウェイト（または、加圧蓋）に付着していた付着物（液に粉体が混じったどろどろの比較的粘性が高い流体になっており、稼動時間の増大につれて次第に付着量が増加する。）が滴下するため、加圧式ニーダの混練槽や混練槽の周辺領域が汚染されてしまう。そのため、長期的な観点からすれば、作業環境の悪化を回避することができないのは勿論、定期的に混練槽や混練槽の周辺領域を掃除（除去し難いので長時間を要する。）しなければならず、混練製品の生産性の向上を妨げる一因になっていた。
【００１０】
従って、本発明の目的とするところは、混練槽の傾転前のダストカバー、原料投入槽、加圧ウェイトの上昇に際して、これらダストカバー、原料投入槽、加圧ウェイトからの付着物の滴下による混練槽や、混練槽の周辺領域の汚染を防止することを可能ならしめる加圧式ニーダを提供することである。
【課題を解決するための手段】
【００１１】
本発明は、上記実情に鑑みてなされたものであって、従って課題を解決するために、本発明の請求項１に係る加圧式ニーダが採用した手段は、原料を混練し、混練終了後に混練物を排出するに際して傾転される混練槽を備え、立設された支持フレームの上部に垂直配設されたシリンダの伸縮ロッドの下端部に取付けられ、前記混練槽の原料投入口の内側に挿入されて混練槽内の原料を加圧し、かつこの混練槽とで混練室を構成する昇降作動自在な加圧ウェイトを備え、前記混練槽の原料投入口の端面に密接して閉塞すると共に、前記加圧ウェイトを収納する昇降作動自在な汚染防止手段を備えた加圧式ニーダにおいて、前記加圧ウェイトと前記汚染防止手段とが上昇したときに、前記混練槽の上方位置に移動して前記加圧ウェイトと前記汚染防止手段から滴下する落下物を受ける一方、前記汚染防止手段の昇降を妨げない位置に退避する、往復移動自在な落下物受けトレイを設けたことを特徴とするものである。
【００１２】
本発明の請求項２に係る加圧式ニーダが採用した手段は、請求項１に記載の加圧式ニーダにおいて、前記落下物受けトレイは、前記加圧ウェイトと前記汚染防止手段とが上昇したときに、前記混練槽の上方位置に移動して前記加圧ウェイトと前記汚染防止手段から滴下する落下物を受ける一方、前記汚染防止手段の昇降を妨げない位置に退避する、往復移動自在なトレイ受けに着脱自在に載置されるように構成されてなることを特徴とするものである。
【発明の効果】
【００１３】
本発明の請求項１または２に係る加圧式ニーダによれば、混練終了後に混練槽を傾転させるに際して加圧ウェイトと汚染防止手段とを上昇させると、この混練槽の原料投入口と前記汚染防止手段との間に落下物受けトレイが移動してくる。そして、この落下物受けトレイによって加圧ウェイトや汚染防止手段から滴下する付着物が受けられる。従って、付着物が混練槽やその周辺領域に滴下するようなことがなく、傾転された混練槽の外壁やその周辺領域が汚染されるようなことが少ないから、作業環境の改善に対して大いに寄与することができる。また、次の混練作業に際して落下した付着物の除去作業をする必要がなく、通常の清掃作業だけで済むから、混練製品の生産性の向上に対しても大いに寄与することができるという優れた効果を得ることができる。
【００１４】
本発明の請求項２に係る加圧式ニーダによれば、落下物受けトレイはトレイ受けに着脱自在に支持される構成であるから、滴下物で汚れた落下物受けトレイを掃除する場合には、新品の落下物受けトレイと交換し、取外した落下物受けトレイだけを別途掃除すれば良い。従って、加圧式ニーダに接近した位置で落下物受けトレイを掃除する必要がないから、安全、かつ短時間のうちに落下物受けトレイを掃除することができる。また、新品の落下物受けトレイに交換するだけですみ、加圧式ニーダの稼働停止時間を短縮することができ稼働率が向上するから、混練製品の生産性がより一層向上する。
【発明を実施するための最良の形態】
【００１５】
本発明の形態１に係る加圧式ニーダを、添付図面を参照しながら説明する。図１は本発明の形態１に係る加圧式ニーダの正面図であり、図２は図１をＡ方向から見た加圧式ニーダの側面図であり、図３は図１のＢ−Ｂ線断面図で、汚染防止胴が上昇し、混練槽の原料投入口と汚染防止胴との間に落下物受けトレイが位置している状態を示す図である。図４はトレイ作動装置の平面図であり、図５は図４のＣ矢視図であり、図６は図５のＤ−Ｄ線断面図である。
【００１６】
図に示す符号１は、加圧式ニーダであり、この加圧式ニーダ１は後述するように構成されている。即ち、作業床Ｌに据付けられた据付ベース２の上に、４本の支柱３ａと、これら４本の支柱３ａの頂部で水平に支えられた台板３ｂとからなる支持フレーム３が配設されている。前記台板３ｂの上には、伸縮ロッド４ａを介して加圧ウェイト５を昇降させるウェイト昇降用シリンダ４が、その伸縮ロッド４ａを下方に向けた状態で垂直に取付けられている。前記加圧ウェイト５の下方であって、前記に据付ベース２の上には混練槽６が配設されている。この混練槽６内には、据付ベース２の上に取付けられた電動機８ａと、減速機８ｂと、分配ギヤ装置８ｃとからなり、操作盤１０により作動されるロータ駆動装置８により回転され、第１ロータ７ａと、この第１ロータ７ａと逆方向に回転される第２ロータ７ｂ（図３参照。）とからなる混練ロータ７が内蔵されている。
【００１７】
前記混練槽６の原料投入口６ａの端面の外縁部には、図３に示すように、外端部側から前記外縁部に近づくにつれて低くなる下向き斜面を有する外縁部材６ｃが取付けられている。そして、この混練槽６は、混練室６ｂから混練製品を排出するときや清掃するときに、この混練槽６を挟む前記ロータ駆動装置８の反対側に設けられた傾転装置９により第１ロータ７ａの回転中心を中心として、図２，３において想像線で示すように、傾転されるように構成されている。
【００１８】
前記ウェイト昇降用シリンダ４の伸縮ロッド４ａは、後述する構成の汚染防止手段である汚染防止胴１２の天蓋１３に設けられた嵌合孔１３ａにダストシール１３ｂを介して摺動可能に貫通している。前記汚染防止胴１２は、前記天蓋１３と、この天蓋１３の下面に固着され、前記混練槽６の上部開口である原料投入口６ａの上縁の端面に密接する密接面１２ａを有し、かつ下側の側面部にリップシール（図示省略）が周設されると共に、前記加圧ウェイト５が内壁面と隙間を持って昇降する胴部１４とから構成されている。
【００１９】
そして、前記汚染防止胴１２は、前記台板３ｂの上であって、かつ前記ウェイト昇降用シリンダ４を挟む両側に取付けられた一対の胴昇降用シリンダ１５の伸縮ロッドの下端にブラケットを介して連結され、伸縮ロッドの伸縮によって昇降されるように構成されている。また、加圧ウェイト５を介して混練室６ｂ内を冷却する冷却水を給排する冷却水供給管５ａと冷却水排出管５ｂとが前記ウェイト昇降用シリンダ４の伸縮ロッド４ａを挟む状態で配設されている。
【００２０】
これら冷却水供給管５ａと冷却水排出管５ｂは、前記台板３ｂの上面より上方に昇降可能に突出し、前記天蓋１３を気密可能に貫通すると共に、下端が前記加圧ウェイト５の上面に連結されている。また、前記据付ベース２の上面であって、かつ第２ロータ７ｂの回転中心の直下に、高さ調整自在な一対のジャッキ１１が配設されている。これら一対のジャッキ１１は、混練作業時における加圧ウェイト５の加圧力に抗して混練槽６を水平に保持す働きをするものである。
【００２１】
なお、前記胴昇降用シリンダ１５を電動シリンダに置換することができる。また、一端が汚染防止胴１２に連結されるボールねじ、または角ねじと、これらねじが螺着され、かつ定位置で回転されてこれらねじをその長手方向に移動させる回転体と、この回転体を正逆自在に回転させる駆動装置とからなる槽昇降装置に置換することもできる。
【００２２】
さらに、前記汚染防止胴１２の胴部１４には、その上下方向のほぼ中間高さ位置に原料投入窓１４ａが設けられている。この原料投入窓１４ａは、この汚染防止胴１２の外壁にブラケットを介して回動可能に取付けられてなるトラニオン型の蓋開閉用シリンダ１８の伸縮ロッドの伸縮により、下端部を支点として開閉される窓閉塞蓋１６によって原料の混練時に閉塞されるように構成されている。なお、前記蓋開閉用シリンダ１６を電動シリンダに置換することができる。また、一端が窓閉塞蓋１６に連結されるボールねじ、または角ねじと、これらねじに螺着され、かつ定位置で回転される回転体と、この回転体を正逆自在に回転させる駆動装置とからなる窓閉塞蓋開閉装置に置換することもできる。
【００２３】
前記窓閉塞蓋１６は、原料投入窓１４ａを閉蓋する垂直状態から前記胴部１４の垂直な側壁と５０度の角度をなす範囲で傾斜した状態に開かれるように構成されており、そしてこの窓閉塞蓋１６の幅方向の両端面は、胴部１４の側面に沿って平行に突設されてなる２枚の側板１７，１７の相対する面に摺接するように構成されている。つまり、原料供給口１９から供給された原料を、前記原料投入窓１４ａから混練槽６の原料投入口６ａに投入するに際して、この窓閉塞蓋１６と２枚の側板１７，１７とによって原料投入シュートが形成されるように構成されている。
【００２４】
さらに、図３に示すように、混練終了後に混練槽６を傾転させるに際して、前記加圧ウェイト５と汚染防止胴１２とが上昇したときに、混練槽６の原料投入口６ａと汚染防止胴１２の間と、この汚染防止胴１２の昇降を妨げない外方位置との間で移動して、加圧ウェイト５と汚染防止胴１２から滴下する付着物を受ける落下物受けトレイ２０ａが設けられている。この落下物受けトレイ２５は、ステンレス板により矩形状の盆状に形成されており、前記支持フレーム３の支柱３ａに取付けられた後述するトレイ作動装置２０に着脱自在に載置されて作動されるように構成されている。
【００２５】
前記トレイ作動装置２０は、図４乃至６に示すように構成されている。即ち、隣り合う２本の支柱３ａの間にトレイ支持フレーム２１がブラケットを介して水平に横架されている。このトレイ支持フレーム２１は、２本の支柱３ａのうちの一方の側面に固着される平板状ブラケット２１ａと、他方の側面に固着されるＬ字状ブラケット２１ｂと、これらブラケット２１ａ，２１ｂを繋ぐ一対の平行なガイドロッド２１ｃとから構成されている。
【００２６】
前記一対の平行なガイドロッド２１ｃの間に、これらガイドロッド２１ｃに案内されて摺動移動し得る溝形鋼からなる移動フレーム２２が、その開口側を外方に向けて支持されている。この移動フレーム２２は、ボトム側が前記Ｌ字状ブラケット２１ｂに取付けられ、伸縮ロッドの先端がこの移動フレーム２２の端面に固着されたプレートに連結されてなるエアシリンダ２３によって往復移動されるようになっている。そして、この移動フレーム２２の反溝側の垂直な面には、前記落下物受けトレイ２５が嵌込む凹所を有するトレイ受け２４が水平に突設されている。つまり、このトレイ受け２４は、エアシリンダ２３の作動によって、混練槽の上方位置である図２中創造線で示す位置と、実線で示す汚染防止胴の昇降を妨げない位置に退避するように構成されている。
【００２７】
なお、本発明の形態１に係る加圧式ニーダの場合には、上記のとおり、前記トレイ受け２４は往復移動されるように構成されているが、支柱３ａに固着したブラケットに垂直軸を介して水平面上を自在にスイングし得るように取付けられていても良い。また、落下物受けトレイ２５はトレイ受け２４に固定、つまり落下物受けトレイとトレイ受けとが一体的に構成されていても、それなりの効果を発揮することができる。
【００２８】
以下、上記構成になる形態１に係る加圧式ニーダ１の作用態様を説明する。即ち、この形態１に係る加圧式ニーダ１によれば、ウェイト昇降用シリンダ４により稼働中は混練槽６の原料投入口６ａ内に挿入される状態に加圧ウェイト５が下降され、胴昇降用シリンダ１５により汚染防止胴１２が下降されて密接面１２ａが混練槽６の原料投入口６ａの端面に押圧されて密接している。また、落下物受けトレイ２０ａは、図４に示すように、汚染防止胴１２を避け得る位置に退避している。そして、混練終了後に混練槽６を傾転させるに際して、ウェイト昇降用シリンダ４と、胴昇降用シリンダ１５とを作動させて、加圧ウェイト５と汚染防止胴１２とを上昇させると、トレイ作動装置２０のエアシリンダ２３の伸縮ロッドが伸長されて前記混練槽６の原料投入口６ａと前記汚染防止胴１２との間に落下物受けトレイ２５が移動してくる。そして、この落下物受けトレイ２５によって加圧ウェイト５や汚染防止胴１２から滴下する付着物が受けられる。
【００２９】
従って、加圧ウェイト５や汚染防止胴１２から滴下する付着物が混練槽６やその周辺領域に滴下するようなことがなく、傾転後の混練槽６の外壁や、この混練槽６の周辺領域が汚染されるようなことが少ないから、作業環境の改善に対して大いに寄与することができる。また、次の混練作業に際して滴下した付着物の除去作業をする必要がなく、通常の清掃作業だけで済むから、混練製品の生産性の向上に対しても大いに寄与することができるという優れた効果が得られる。
【００３０】
また、本発明の形態１に係る加圧式ニーダ１によれば、上記のとおり、混練槽６の原料投入口６ａの端面の外縁部に、外端部側から前記外縁部に近づくにつれて低くなる下向き斜面を有する外縁部材６ｃが設けられている。従って、混練槽６の傾転前の加圧ウェイト５や汚染防止胴１２が上昇され、そして落下物受けトレイ２５が汚染防止胴１２の下方に移動してくる前に、加圧ウェイト５や汚染防止胴１２から付着物が滴下して広がっても、付着物の広がりが外縁部材６ｃによって阻止されるから、混練槽６の周辺領域に零れ出るようなことがない。
【００３１】
さらに、本発明の形態１に係る加圧式ニーダ１によれば、落下物受けトレイ２５はトレイ受け２４に着脱自在に載置される構成であるから、溜まった付着物で汚れた落下物受けトレイ２５を掃除する場合には、新品の落下物受けトレイ２５と交換し、取外した落下物受けトレイ２５だけを別途掃除すれば良い。従って、加圧式ニーダ１に接近した位置で落下物受けトレイ２５を掃除する必要がないから、安全、かつ短時間のうちに落下物受けトレイ２５を掃除することができる。また、新品の落下物受けトレイ２５に交換するだけですみ、加圧式ニーダ１の稼働停止時間を短縮することができ稼働率が向上するから、混練製品の生産性がより一層向上する。
【００３２】
本発明の形態２に係る加圧式ニーダを、添付図面を参照しながら説明する。図７は本発明の形態２に係る加圧式ニーダの正面図であり、図８は本発明の形態２に係る加圧式ニーダの側面図である。本発明の形態２に係る加圧式ニーダが、上記形態１に係る加圧式ニーダと相違するところは、加圧ウェイトの支持構成が相違し、そして汚染防止胴がカバーに変わっただけの構成であるから、同一のもの並びに同一機能を有するものに同一符号を付して、その相違する点について説明する。
【００３３】
作業床Ｌに据付けられた据付ベース２の上に、側面形状がΓ状の支持フレーム３が立設されている。このΓ状の支持フレーム３の水平部分の上には、加圧ウェイト５を昇降させるウェイト昇降用シリンダ４がその伸縮ロッドを下側に向けて垂直に取付けられている。
また、据付ベース２の上に、後述する支持フレーム２６が設けられている。この支持フレーム２６は、垂直に立設された１本の支柱２６ａと、この１本の支柱２６ａの頂部付近の１側面に連結されてなる水平な片持梁２６ｂとから構成されている。が水平に取付けられている。そして、この片持梁２６ｂに、上記形態１に係る加圧式ニーダのトレイ作動装置と同構成になるトレイ作動装置２０が取付けられている。
【００３４】
従って、本発明の形態２に係る加圧式ニーダ１によれば、上記形態１に係る加圧式ニーダと同様に、加圧ウェイト５やカバー１２から滴下する付着物がトレイ作動装置２０で作動される落下物受けトレイ２５によって受けられるから、本発明の形態２に係る加圧式ニーダ１は、上記形態１に係る加圧式ニーダと同効である。
【００３５】
なお、上記形態１または２に係る加圧式ニーダは、本発明の具体例に過ぎないから、上記加圧式ニーダの構成に限定されるものではなく、本発明の技術的思想を逸脱しない範囲内における設計変更等は自由自在である。また、本発明の技術的思想を、全ての既納機に対しても容易に適用することができる。
【図面の簡単な説明】
【００３６】
【図１】本発明の形態１に係る加圧式ニーダの正面図である。
【図２】図１をＡ方向から見た加圧式ニーダの側面図である。
【図３】図１のＢ−Ｂ線断面図で、汚染防止胴が上昇し、混練槽の原料投入口と汚染防止胴との間に落下物受けトレイが位置している状態を示す図である。
【図４】本発明の形態１に係り、トレイ作動装置の平面図である。
【図５】図４のＣ矢視図である。
【図６】図５のＤ−Ｄ線断面図である。
【図７】本発明の形態２に係る加圧式ニーダの正面図である。
【図８】本発明の形態２に係る加圧式ニーダの側面図である。
【図９】従来例１に係り、正面からみた加圧式ニーダの部分断面図である。
【図１０】従来例２に係る加圧式ニーダの一部断面示側面図である。
【図１１】図１０のＥ部拡大図である。
【符号の説明】
【００３７】
１…加圧式ニーダ
２…据付ベース
３…支持フレーム，３ａ…支柱，３ｂ…台板
４…ウェイト昇降用シリンダ，４ａ…伸縮ロッド
５…加圧ウェイト，５ａ…冷却水供給管，５ｂ…冷却水排水管
６…混練槽，６ａ…原料投入口，６ｂ…混練室，６ｃ…外縁部材
７…混練ロータ，７ａ…第１ロータ，７ｂ…第２ロータ
８…ロータ駆動数値
８ａ…電動機
８ｂ…減速機
８ｃ…分配ギヤ装置
９…傾転装置
１０…操作盤
１１…ジャッキ
１２…汚染防止胴，１２ａ…密接面
１３…天蓋，１３ａ…嵌合孔，１３ｂ…ダストシール
１４…胴部，１４ａ…原料投入窓
１５…胴昇降用シリンダ，１５ａ…伸縮ロッド
１６…窓開閉蓋
１７…側板
１８…蓋開閉用シリンダ
１９…原料供給口
２０…トレイ作作動装置
２１…トレイ支持フレーム，２１ａ…平板状ブラケット，２１ｂ…Ｌ字状ブラケット、２１ｃ…ガイドロッド
２２…移動フレーム，２３…エアシリンダ，２４…トレイ受け，２５…落下物受けトレ
２６…支持フレーム，２６ａ…支柱，２６ｂ…片持梁
【図１】
2006167618.tif 000003
【図２】
2006167618.tif 000004
【図３】
2006167618.tif 000005
【図４】
2006167618.tif 000006
【図５】
2006167618.tif 000007
【図６】
2006167618.tif 000008
【図７】
2006167618.tif 000009
【図８】
2006167618.tif 000010
【図９】
2006167618.tif 000011
【図１０】
2006167618.tif 000012
【図１１】
2006167618.tif 000013